(57)【要約】【課題】一対の分割ボディから露出された屈曲部間のリークを防止することができるヒューズユニットを提供する。【解決手段】２つに分離された屈曲部３，５が並列に配置されたバスバ７と、屈曲部３，５を露出させバスバ７の一側と他側とに分割して形成される一対の分割ボディ９，１１とを備え、屈曲部３，５で屈曲されて一対の分割ボディ９，１１がＬ字状に配置されるヒューズユニット１において、一方の分割ボディ９に、屈曲部３，５が屈曲された状態で屈曲部３，５間に配置される隔壁１３を設けた。【選択図】図２
2014063582.tif 000002
【特許請求の範囲】
【請求項１】
少なくとも２つに分離された屈曲部が並列に配置されたバスバと、前記屈曲部を露出させ前記バスバの一側と他側とに分割して形成される一対の分割ボディとを備え、前記屈曲部で屈曲されて前記一対の分割ボディがＬ字状に配置されるヒューズユニットであって、
前記一対の分割ボディのうちいずれか一方には、前記屈曲部が屈曲された状態で前記屈曲部間に配置される隔壁が設けられていることを特徴とするヒューズユニット。
【請求項２】
請求項１記載のヒューズユニットであって、
前記一対の分割ボディのうち他方には、前記屈曲部間に設けられ、前記屈曲部が屈曲された状態で前記隔壁が配置される隔離凹部が設けられていることを特徴とするヒューズユニット。
【請求項３】
請求項１又は２記載のヒューズユニットであって、
前記一対の分割ボディには、前記屈曲部が屈曲された状態で係合し、前記屈曲部の屈曲を規制する係止部が設けられていることを特徴とするヒューズユニット。
【請求項４】
請求項３記載のヒューズユニットであって、
前記係止部は、前記隔壁と他方の分割ボディとのうちいずれか一方に設けられた係止凹部と、前記隔壁と前記他方の分割ボディとのうち他方に設けられ前記係止凹部に係合される係止凸部とを有することを特徴とするヒューズユニット。
【発明の詳細な説明】
【技術分野】
【０００１】
本発明は、ヒューズユニットに関する。
【背景技術】
【０００２】
従来、ヒューズユニットとしては、少なくとも２つに分離された屈曲部としての可撓部が並列に配置されたバスバとしてのヒューズエレメントと、可撓部を露出させヒューズエレメントの一側と他側とに分割して形成される一対の分割ボディとしての一方の分割ボディと他方の分割ボディとを備えたものが知られている（例えば、特許文献１参照）。
【０００３】
このヒューズユニットでは、ヒューズエレメントの可撓部が屈曲され、一方の分割ボディと他方の分割ボディとがＬ字状に配置される。このようにヒューズユニットをＬ字状にすることにより、ヒューズユニットの全長の大型化を抑制し、ヒューズ回路の多様化に対応することができる。
【先行技術文献】
【特許文献】
【０００４】
【特許文献１】特開２００２−３２９４５７号公報
【発明の概要】
【発明が解決しようとする課題】
【０００５】
ところで、上記特許文献１のようなヒューズユニットでは、バスバの屈曲部が少なくとも２つに分離されている、すなわち別々の回路を構成するので、屈曲部間を絶縁する必要がある。このため、隣り合う屈曲部は、離間して配置されている。
【０００６】
しかしながら、上記特許文献１のようなヒューズユニットでは、屈曲部が一対の分割ボディから露出されているので、空気中放電などによって隣り合う屈曲部間が導通してしまうリークが発生する可能性があった。
【０００７】
そこで、この発明は、一対の分割ボディから露出された屈曲部間のリークを防止することができるヒューズユニットの提供を目的としている。
【課題を解決するための手段】
【０００８】
請求項１記載の発明は、少なくとも２つに分離された屈曲部が並列に配置されたバスバと、前記屈曲部を露出させ前記バスバの一側と他側とに分割して形成される一対の分割ボディとを備え、前記屈曲部で屈曲されて前記一対の分割ボディがＬ字状に配置されるヒューズユニットであって、前記一対の分割ボディのうちいずれか一方には、前記屈曲部が屈曲された状態で前記屈曲部間に配置される隔壁が設けられていることを特徴とする。
【０００９】
このヒューズユニットでは、一対の分割ボディのうちいずれか一方に屈曲部が屈曲された状態で屈曲部間に配置される隔壁が設けられているので、屈曲部間に隔壁が配置されることによって屈曲部間の沿面距離が増加され、屈曲部間のリークを防止することができる。
【００１０】
従って、このようなヒューズユニットでは、屈曲部が屈曲された状態で屈曲部間に隔壁が配置されるので、一対の分割ボディから露出された屈曲部間のリークを防止することができる。
【００１１】
請求項２記載の発明は、請求項１記載のヒューズユニットであって、前記一対の分割ボディのうち他方には、前記屈曲部間に設けられ、前記屈曲部が屈曲された状態で前記隔壁が配置される隔離凹部が設けられていることを特徴とする。
【００１２】
このヒューズユニットでは、一対の分割ボディのうち他方に屈曲部が屈曲された状態で隔壁が配置される隔離凹部が設けられているので、屈曲部間に隔壁と隔離凹部とが配置されることになり、さらに屈曲部間の沿面距離が増加され、より屈曲部間のリークを防止することができる。
【００１３】
請求項３記載の発明は、請求項１又は２記載のヒューズユニットであって、前記一対の分割ボディには、前記屈曲部が屈曲された状態で係合し、前記屈曲部の屈曲を規制する係止部が設けられていることを特徴とする。
【００１４】
このヒューズユニットでは、一対の分割ボディに屈曲部が屈曲された状態で係合し、屈曲部の屈曲を規制する係止部が設けられているので、一対の分割ボディがＬ字状に配置された状態を安定して保持することができる。
【００１５】
請求項４記載の発明は、請求項３記載のヒューズユニットであって、前記係止部は、前記隔壁と他方の分割ボディとのうちいずれか一方に設けられた係止凹部と、前記隔壁と前記他方の分割ボディとのうち他方に設けられ前記係止凹部に係合される係止凸部とを有することを特徴とする。
【００１６】
このヒューズユニットでは、係止部が隔壁と他方の分割ボディとのうちいずれか一方に設けられた係止凹部と、隔壁と他方の分割ボディとのうち他方に設けられ係止凹部に係合される係止凸部とを有するので、屈曲部間のリーク防止と一対の分割ボディのＬ字状保持とを１箇所で行うことができ、構造を簡素化することができる。
【発明の効果】
【００１７】
本発明によれば、一対の分割ボディから露出された屈曲部間のリークを防止することができるヒューズユニットを提供することができるという効果を奏する。
【図面の簡単な説明】
【００１８】
【図１】本発明の第１実施形態に係るヒューズユニットの斜視図である。
【図２】本発明の第１実施形態に係るヒューズユニットの要部拡大図である。
【図３】（ａ）は本発明の第１実施形態に係るヒューズユニットの一方の分割ボディの斜視図である。（ｂ）は図３（ａ）の要部拡大図である。
【図４】（ａ）は本発明の第１実施形態に係るヒューズユニットの他方の分割ボディの斜視図である。（ｂ）は図４（ａ）の要部拡大図である。
【図５】本発明の第２実施形態に係るヒューズユニットの要部拡大図である。
【図６】（ａ）は本発明の第２実施形態に係るヒューズユニットの一方の分割ボディの斜視図である。（ｂ）は図６（ａ）の要部拡大図である。
【図７】（ａ）は本発明の第２実施形態に係るヒューズユニットの他方の分割ボディの斜視図である。（ｂ）は図７（ａ）の要部拡大図である。
【図８】本発明の第２実施形態に係るヒューズユニットの上面図である。
【図９】（ａ）は図８のＸ−Ｘ断面図である。（ｂ）は図９（ａ）の要部拡大図である。
【図１０】（ａ）は本発明の変形例に係るヒューズユニットの屈曲部の屈曲前の係止部を示す断面図である。（ｂ）は本発明の変形例に係るヒューズユニットの屈曲部の屈曲途中の係止部を示す断面図である。（ｃ）は本発明の変形例に係るヒューズユニットの屈曲部の屈曲後の係止部を示す断面図である。
【発明を実施するための形態】
【００１９】
図１〜図１０を用いて本発明の実施の形態に係るヒューズユニットについて説明する。
【００２０】
（第１実施形態）
図１〜図４を用いて第１実施形態について説明する。
【００２１】
本実施の形態に係るヒューズユニット１は、２つに分離された屈曲部３，５が並列に配置されたバスバ７と、屈曲部３，５を露出させバスバ７の一側と他側とに分割して形成される一対の分割ボディ９，１１とを備え、屈曲部３，５で屈曲されて一対の分割ボディ９，１１がＬ字状に配置される。
【００２２】
そして、一方の分割ボディ９には、屈曲部３，５が屈曲された状態で屈曲部３，５間に配置される隔壁１３が設けられている。
【００２３】
また、他方の分割ボディ１１には、屈曲部３，５間に設けられ、屈曲部３，５が屈曲された状態で隔壁１３が配置される隔離凹部１５が設けられている。
【００２４】
図１〜図４に示すように、バスバ７は、導電性材料からなり、薄板状に形成されている。また、バスバ７には、過電流によって溶断するヒューズ（不図示）が一体に形成されている。
【００２５】
このバスバ７は、バッテリ（不図示）の上面側に位置される部分にバッテリ端子（不図示）、オルタネータ端子（不図示）、スタータモータ端子（不図示）などが接続される複数の上面接続部１７が設けられ、バッテリの側面側に位置される部分に電装品などの負荷に接続された端子が接続される複数の側面接続部１９が設けられている。
【００２６】
このようなバスバ７は、バッテリと負荷との間に配置され、バッテリと負荷との間をヒューズを介して接続するヒューズ回路を構成するヒューズエレメントとなっている。このバスバ７には、２つに分離された屈曲部３，５が設けられている。
【００２７】
屈曲部３，５は、離間して並列に配置され、それぞれ異なるヒューズ回路を構成している。この屈曲部３，５を折り曲げ加工することにより、ヒューズユニット１がＬ字状に形成される。このようにヒューズユニット１をＬ字状に形成することにより、ヒューズユニット１の全長の大型化が抑制され、バッテリの周辺部材との干渉を防止することができると共に、ヒューズ回路の多様化に対応することができる。
【００２８】
このような屈曲部３，５が設けられたバスバ７は、屈曲部３，５を境界として、バッテリの側面側に位置される一側と、バッテリの上面側に位置される他側とに、屈曲部３，５を屈曲させる前の状態で、一対の分割ボディ９，１１がインサート成形される。
【００２９】
一対の分割ボディ９，１１は、合成樹脂材料からなり、それぞれ内部にバスバ７を内蔵するように、金型などによってバスバ７と一体成形される。この一対の分割ボディ９，１１をバスバ７と一体成形させると、バスバ７の屈曲部３，５を屈曲可能とさせるため、バスバ７の屈曲部３，５が露出した状態となる。
【００３０】
このように一対の分割ボディ９，１１から露出した屈曲部３，５は、それぞれ異なるヒューズ回路を構成するので、絶縁する必要があり、離間して配置されている。しかしながら、屈曲部３，５は、露出されているので、空気中放電などによって屈曲部３，５間が導通してしまうリークが発生する可能性がある。そこで、分割ボディ９には、屈曲部３，５が屈曲された状態で屈曲部３，５間に配置される隔壁１３が設けられている。
【００３１】
隔壁１３は、屈曲部３，５が屈曲される前の状態で、一方の分割ボディ９の屈曲部３，５の間に他方の分割ボディ１１側に向けて突設されている。また、隔壁１３は、屈曲部３，５が屈曲された状態で、屈曲部３，５の側面同士が対向しないように、屈曲部３，５の対向面よりも大きく形成されている。
【００３２】
この隔壁１３は、屈曲部３，５を屈曲した状態、すなわち一対の分割ボディ９，１１をＬ字状に配置した状態で、屈曲部３，５間に配置される。このため、屈曲部３，５間の沿面距離が隔壁１３によって増加され、屈曲部３，５間のリークを防止することができる。
【００３３】
一方、他方の分割ボディ１１には、隔壁１３が配置される隔離凹部１５が設けられている。隔離凹部１５は、屈曲部３，５の間に隔壁１３の周囲を覆うように設けられている。この隔離凹部１５は、屈曲部３，５が屈曲された状態で隔壁１３の周囲に配置される。このため、隔離凹部１５の内面によって、屈曲部３，５間の沿面距離がさらに増加され、より屈曲部３，５間のリークを防止することができる。
【００３４】
このようなヒューズユニット１では、一方の分割ボディ９に屈曲部３，５が屈曲された状態で屈曲部３，５間に配置される隔壁１３が設けられているので、屈曲部３，５間に隔壁１３が配置されることによって屈曲部３，５間の沿面距離が増加され、屈曲部３，５間のリークを防止することができる。
【００３５】
従って、このようなヒューズユニット１では、屈曲部３，５が屈曲された状態で屈曲部３，５間に隔壁１３が配置されるので、一対の分割ボディ９，１１から露出された屈曲部３，５間のリークを防止することができる。
【００３６】
また、他方の分割ボディ１１には、屈曲部３，５が屈曲された状態で隔壁１３が配置される隔離凹部１５が設けられているので、屈曲部３，５間に隔壁１３と隔離凹部１５とが配置されることになり、さらに屈曲部３，５間の沿面距離が増加され、より屈曲部３，５間のリークを防止することができる。
【００３７】
（第２実施形態）
図５〜図１０を用いて第２実施形態について説明する。
【００３８】
本実施の形態に係るヒューズユニット１０１は、一対の分割ボディ９，１１には、屈曲部３，５が屈曲された状態で係合し、屈曲部３，５の屈曲を規制する係止部１０３が設けられている。
【００３９】
また、係止部１０３は、隔壁１３に設けられた係止凹部１０５と、他方の分割ボディ１１に設けられ係止凹部１０５に係合される係止凸部１０７とを有する。
【００４０】
なお、第１実施形態と同一の構成には、同一の記号を記して構成及び機能説明は第１実施形態を参照するものとし省略するが、第１実施形態と同一の構成であるので、得られる効果は同一である。
【００４１】
図５〜図９に示すように、一対の分割ボディ９，１１には、屈曲部３，５の屈曲を規制、すなわち一対の分割ボディ９，１１のＬ字状形態を保持する係止部１０３が設けられている。この係止部１０３は、屈曲部３，５が屈曲された状態で係合する係止凹部１０５と、係止凸部１０７とを備えている。
【００４２】
係止凹部１０５は、一方の分割ボディ９の隔壁１３に半円状に設けられている。この係止凹部１０５は、屈曲部３，５が屈曲された状態で、他方の分割ボディ１１の隔離凹部１５と対向配置される。このような係止凹部１０５には、屈曲部３，５が屈曲された状態で、係止凸部１０７が係合される。
【００４３】
係止凸部１０７は、他方の分割ボディ１１の隔離凹部１５内に突設され、先端側が半円状に形成されている。この係止凸部１０７は、屈曲部３，５が屈曲された状態、すなわち一対の分割ボディ９，１１がＬ字状に配置された状態で、係止凹部１０５と係合される。この係止凸部１０７と係止凹部１０５との係合により、一対の分割ボディ９，１１がＬ字状形態から開く方向及び閉じる方向の移動が規制され、屈曲部３，５の屈曲が規制される。
【００４４】
このように構成された係止部１０３は、屈曲部３，５が屈曲されていない状態では、係止凸部１０７の先端面が、隔壁１３の先端面に対向配置されている。この状態から屈曲部３，５の屈曲途中では、係止凸部１０７の先端面が隔壁１３と摺動しながら係止凹部１０５に近接される。そして、屈曲部３，５を完全に屈曲させた状態では、係止凸部１０７が係止凹部１０５に係合され、屈曲部３，５の屈曲が規制される。
【００４５】
このようなヒューズユニット１０１では、一対の分割ボディ９，１１に屈曲部３，５が屈曲された状態で係合し、屈曲部３，５の屈曲を規制する係止部１０３が設けられているので、一対の分割ボディ９，１１がＬ字状に配置された状態を安定して保持することができる。
【００４６】
また、係止部１０３は、隔壁１３に設けられた係止凹部１０５と、他方の分割ボディ１１に設けられ係止凹部１０５に係合される係止凸部１０７とを有するので、屈曲部３，５間のリーク防止と一対の分割ボディ９，１１のＬ字状保持とを１箇所で行うことができ、構造を簡素化することができる。
【００４７】
なお、屈曲部３，５の屈曲を規制する係止部としては、例えば、図１０に示すような係止部２０３であってもよい。詳細には、係止部２０３は、隔壁１３の近傍に設けられ、一方の分割ボディ９に設けられた係止凸部２０５と、他方の分割ボディ１１に設けられた被係止凸部２０７とを備えている。
【００４８】
係止凸部２０５は、可撓性を有しており、屈曲部３，５が屈曲されていない状態で、一方の分割ボディ９の下面から突設され、先端側に傾斜面が設けられている。被係止凸部２０７は、他方の分割ボディ１１の側面から一方の分割ボディ９側に向けて突設され、先端側に傾斜面が設けられている。
【００４９】
このように構成された係止部２０３は、屈曲部３，５が屈曲されていない状態では、係止凸部２０５と被係止凸部２０７とが９０°位相をずらして配置されている。この状態から屈曲部３，５の屈曲途中では、係止凸部２０５の傾斜面と被係止凸部２０７の傾斜面とが摺動し、係止凸部２０５が撓んで被係止凸部２０７を乗り越える。そして、屈曲部３，５を完全に屈曲させた状態では、係止凸部２０５が被係止凸部２０７の上面に位置される。
【００５０】
この係止部２０３の係合状態では、一対の分割ボディ９，１１がＬ字状形態から開く方向に移動しようとすると、係止凸部２０５の下面と被係止凸部２０７の上面とが当接し、屈曲部３，５の屈曲が規制される。一方、一対の分割ボディ９，１１がＬ字状形態から閉じる方向に移動しようとすると、係止凸部２０５の先端面が他方の分割ボディ１１の側面に当接し、屈曲部３，５の屈曲が規制される。
【００５１】
なお、本発明の実施の形態に係るヒューズユニットでは、バスバの屈曲部が２つに分離されているが、これに限らず、２つ以上に分離してもよい。このような屈曲部の場合、隣り合う屈曲部間に隔壁が配置されるように、一対の分割ボディのいずれか一方に隔壁を設ければよい。
【００５２】
また、隔壁は、一方の分割ボディに設けられているが、他方の分割ボディに設けてもよい。加えて、係止部の係止凹部が隔壁に設けられ、係止凸部が他方の分割ボディに設けられているが、係止凹部を他方の分割ボディに設け、係止凸部を隔壁に設けてもよい。
【符号の説明】
【００５３】
１，１０１…ヒューズユニット
３，５…屈曲部
７…バスバ
９，１１…一対の分割ボディ
１３…隔壁
１５…隔離凹部
１０３，２０３…係止部
１０５…係止凹部
１０７…係止凸部
【図１】
2014063582.tif 000003
【図２】
2014063582.tif 000004
【図３】
2014063582.tif 000005
【図４】
2014063582.tif 000006
【図５】
2014063582.tif 000007
【図６】
2014063582.tif 000008
【図７】
2014063582.tif 000009
【図８】
2014063582.tif 000010
【図９】
2014063582.tif 000011
【図１０】
2014063582.tif 000012